(57)【特許請求の範囲】
【請求項１】
眼底上に測定光を照射する測定光照射手段と、眼底からの信号光を受光する受光手段と、該受光手段からの出力信号を受けて測定結果を算出する演算部とを有する眼底検査装置において、複数の測定条件で測定光による信号光を受光した前記受光手段からの出力を受けて前記演算部で演算した複数の測定結果を表示する測定結果表示手段と、前記測定結果の可否を手動で選択する測定データ選択手段と、該測定データ選択手段により否が選択された場合に前記測定結果の測定条件で前記演算部により再測定を行う再測定手段と、前記測定データ選択手段により可が選択された場合に前記測定結果を記憶し、記憶した複数の測定結果から眼底血流速度を算出する血流速度算出部とを有することを特徴とする眼底検査装置。
【請求項２】
前記複数の測定結果は眼底への測定光の異なる照射方向から測定する請求項１に記載の眼底検査装置。
【請求項３】
前記複数の測定結果は測定光の異なる波長から測定する請求項１に記載の眼底検査装置。
【請求項４】
前記複数の測定結果は受光手段の異なる受光方向から測定する請求項１に記載の眼底検査装置。
【請求項５】
前記測定データ選択手段による測定結果の可否の選択は各測定結果の算出後毎に行う請求項１〜４の何れか１つの請求項に記載の眼底検査装置。
【請求項６】
前記測定データ選択手段による測定結果の可否の選択は全ての測定結果の算出終了後に行う請求項１〜４の何れか１つの請求項に記載の眼底検査装置。
【請求項７】
前記照射方向又は受光方向の光路の切換えを行う光路切換手段を有する請求項２又は４に記載の眼底検査装置。
【請求項８】
前記測定光照射手段は眼底血管に可干渉の測定光を照射し、前記複数の測定結果から前記血流速度算出部により血流速度を算出する請求項１、２、４〜７の何れか１つの請求項に記載の眼底検査装置。
【発明の詳細な説明】
【０００１】
【発明の属する技術分野】
本発明は、眼科医院などにおいて眼底を検査する際に使用する眼底検査装置に関するものである。
【０００２】
【従来の技術】
ドップラ効果を利用した眼底血流計は、次式により眼底での血流速度（最大速度Vmax) を求めている。
Vmax＝｛λ/(ｎ・α)}・||Δfmax1 | − |Δfmax2 ||／ cosβ・・・ (1)
【０００３】
ここで、２つの受光器で受光した受光信号から算出した周波数の最大シフトをそれぞれΔfmax1 、Δfmax2 、レーザーの波長をλ、測定部位の屈折率をｎ、眼内での２つの受光光軸のなす角度をα、眼内で２つの受光光軸がつくる平面と血流の速度ベクトルとのなす角度をβとしている。
【０００４】
このように、２方向から計測を行うことによって測定光の入射方向の寄与が相殺され、眼底上の任意の部位の血流を計測することができる。また、２つの受光光軸がつくる平面と眼底の交線と、血流の速度ベクトルとのなす角βを一致させることにより、β＝０°となって真の最大血流速度を測定することができる。
【０００５】
しかし、上式(1) のドップラシフトの最大値Δfmaxは、血流によりシフトした成分と静止している血管壁との干渉信号として検出を行うために、周波数解析により得られる最大周波数シフトΔfmaxは、｜Δfmax｜という符号情報が欠如したものになる。
【０００６】
このために、眼底において部位の異なる血管の血流を測定する場合には、最大周波数シフトΔfmax1 、Δfmax2 の符号が共に正、共に負、正負異符号を持つ場合が存在することになる。従って、測定する領域によっては式(1) により最大血流速度Vmaxを決定することが不可能になるという問題が生ずる。
【０００７】
図５は眼内の光束配置の説明図を示し、測定光は瞳孔Epの中心hi＝０から入射され、散乱光は瞳孔Epの所定部位hs1 、hs2 から受光されるとすると、眼底Eaからこの部位hs1 、hs2 を見込む角度が受光光軸のなす角度αとなる。
【０００８】
ここで、眼底Eaの中心にある血管Ev1 の測定を行う場合には、部位hs1 の方向からの受光信号により得られる最大周波数シフトΔfmax1 と、部位hs2 の方向からの受光信号により得られる最大周波数シフトΔfmax2 とは異符号となる。このとき、信号光は血管Ev1 上に垂直に入射するために、信号光の方向によって生ずる周波数シフトはなく、得られる周波数シフトは観察の方向によって生ずるものだけとなる。
【０００９】
ここで、血管Ev1 の血流の速度ベクトルν1 と、部位hs1 方向の波数ベクトルκs1及び部位hs2 方向の波数ベクトルκs2を考えると、これらは速度ベクトルν1 の垂線に対し異なる方向に存在するので、その内積は異符号となり異符号の周波数シフトが起こっていることになる。
【００１０】
一方、周辺部位の血管Ev2 の測定を行う場合には、周波数シフトが０となる正反射光κi'に対し、同じ方向に部位hs1 の方向と部位hs2 の方向が存在するので、同符号の周波数シフトが起きていることになる。
【００１１】
従来では、このような最大周波数シフトΔfmaxの符号を考慮した血流速度の算出は行われていないが、最近ではこの問題に対処するために、入射光を２方向から連続的に切換えて入射して２方向から受光することによって、周波数シフトの符号情報を検出することが考えられている。
【００１２】
【発明が解決しようとする課題】
しかしながら上述の従来例においては、周波数シフトの符号情報を検出する際に、１方向から測定光を入射し、眼底Eaからの反射光を２つの受光器で受光して最大血流速度Vmaxを求め、次に異なる方向から測定光を入射し、同様に眼底Eaからの反射光を２つの受光器で受光して最大血流速度Vmax' を求め、これら両最大血流速度Vmax、Vmax' から真の最大血流速度を求めている。
【００１３】
このとき、片方のパスの測定時に、例えば被検者の睫毛などによって光束が欠られたり、アライメントがずれたり、瞬きや固視不良が発生した場合には、そのパスにおいて正しい測定が行われないために、残りのパスが正しく測定されている場合でも、両方のパスが共に測定不良と判断され、正しく測定されたパスの測定が無駄になるという問題が生ずる。
【００１４】
そして、再アライメント後に再び２方向のパスについて測定することになるので、被検者に長時間の固視を強いるし、測定時間も長くなるという問題が生ずる。
【００１５】
本発明の目的は、上述の問題点を解消し、正しく測定されたパスの測定結果を無駄にすることがなく、測定時間を短縮し、同時に被検者に対して不必要なレーザー光を照射せずに済み、かつ長時間固視を強いることがない眼底検査装置を提供することにある。
【００１６】
【課題を解決するための手段】
上記目的を達成するための本発明に係る眼底検査装置は、眼底上に測定光を照射する測定光照射手段と、眼底からの信号光を受光する受光手段と、該受光手段からの出力信号を受けて測定結果を算出する演算部とを有する眼底検査装置において、複数の測定条件で測定光による信号光を受光した前記受光手段からの出力を受けて前記演算部で演算した複数の測定結果を表示する測定結果表示手段と、前記測定結果の可否を手動で選択する測定データ選択手段と、該測定データ選択手段により否が選択された場合に前記測定結果の測定条件で前記演算部により再測定を行う再測定手段と、前記測定データ選択手段により可が選択された場合に前記測定結果を記憶し、記憶した複数の測定結果から眼底血流速度を算出する血流速度算出部とを有することを特徴とする。
【００１７】
【発明の実施の形態】
本発明を図１〜図４に図示の実施例に基づいて詳細に説明する。
図１は眼底血流計へ応用した第１の実施例の構成図を示し、白色光を発するタングステンランプ等から成る観察用光源１から被検眼Ｅと対向する対物レンズ２へ至る照明光路上には、コンデンサレンズ３、例えば黄色域の波長光のみを透過するバンドパスフィルタ付のフィールドレンズ４、被検眼Ｅの瞳孔Epとほぼ共役な位置に設けられたリングスリット５、被検眼Ｅの水晶体とほぼ共役な位置に設けられた遮光部材６、リレーレンズ７、光路に沿って移動自在な固視標表示用素子である透過型液晶板８、リレーレンズ９、被検眼Ｅの角膜近傍と共役に設けられた遮光部材１０、孔あきミラー１１、黄色域の波長光を透過し他の光束を殆ど反射するバンドパスミラー１２が順次に配列され、照明光学系が構成されている。
【００１８】
孔あきミラー１１の背後には眼底観察光学系が構成されており、光路に沿って移動自在なフォーカシングレンズ１３、リレーレンズ１４、スケール板１５、光路に挿脱自在な光路切換ミラー１６、接眼レンズ１７が順次に配列され、検者眼ｅに至っている。光路切換ミラー１６が光路に挿入されているときの反射方向の光路上には、テレビリレーレンズ１８、ＣＣＤカメラ１９が配置されており、ＣＣＤのカメラ１９の出力は液晶モニタ２０に接続されている。
【００１９】
バンドパスミラー１２の反射方向の光路上には、イメージローテータ２１、紙面に垂直な回転軸を有し両面が研磨されたガルバノメトリックミラー２２が配置され、ガルバノメトリックミラー２２の下側反射面２２ａの反射方向には光路に沿って移動自在なフォーカスレンズ２３が配置され、上側反射面２２ｂの反射方向にはレンズ２４、光路に沿って移動自在なフォーカスユニット２５が配置されている。なお、レンズ２４の前側焦点面は被検眼Ｅの瞳孔Epと共役関係にあり、その焦点面にガルバノメトリックミラー２２が配置されている。
【００２０】
また、ガルバノメトリックミラー２２の図面上方には、光路長補償半月板２６、光路中に遮光部を有する黒点板２７、凹面ミラー２８が順次に配列され、ガルバノメトリックミラー２２の下側反射面２２ａにより反射されることなく通過する光束を、ガルバノメトリックミラー２２の上側反射面２２ｂに戻るように導くリレー光学系が構成されている。なお、光路長補正用半月板２６はガルバノメトリックミラー２２の上側反射面２２ｂ、下側反射面２２ａの位置がそのミラー厚によって生ずる図面の上下方向へのずれを補正するためのものであり、イメージローテータ２１へ向かう光路中にのみ作用するものである。
【００２１】
フォーカスユニット２５においては、レンズ２４と同一光路上にダイクロイックミラー２９、集光レンズ３０が順次に配列され、ダイクロイックミラー２９の反射方向の光路上には、マスク３１、ミラー３２が配置されており、このフォーカスユニット２５は一体的に矢印で示す方向に移動ができるようになっている。
【００２２】
レンズ３０の入射方向の光路上には、固定ミラー３３、光路から退避可能な光路切換ミラー３４が平行に配置され、光路切換ミラー３４の入射方向の光路上には、コリメータレンズ３５、コヒーレントな例えば赤色光を発する測定用のレーザーダイオード３６が配列されている。更に、ミラー３２の入射方向の光路上には、シリンドリカルレンズ等から成るビームエクスパンダ３７、他の光源と異なる高輝度の例えば緑色光を発するトラッキング用光源３８が配列されている。
【００２３】
ガルバノメトリックミラー２２の下側反射面２２ａの反射方向の光路上には、フォーカシングレンズ２３、ダイクロイックミラー３９、フィールドレンズ４０、拡大レンズ４１、イメージインテンシファイヤ付の一次元ＣＣＤ４２が順次に配列され、血管検出系が構成されている。また、ダイクロイックミラー３９の反射方向の光路上には、結像レンズ４３、共焦点絞り４４、被検眼Ｅの瞳孔Epとほぼ共役に設けられたミラー対４５ａ、４５ｂが配置され、ミラー対４５ａ、４５ｂの反射方向にはそれぞれフォトマルチプライヤ４６ａ、４６ｂが配置され、測定用受光光学系が構成されている。なお、図示の都合上、全ての光路を同一平面上に示したが、ミラー対４５ａ、４５ｂの反射光路、トラッキング用光源３８の出射方向の測定光路、レーザーダイオード３６からマスク３１に至る光路はそれぞれ紙面に直交している。
【００２４】
更に、装置全体を制御するためのシステム制御部４７が設けられ、このシステム制御部４７には、検者が操作する入力手段４８、フォトマルチプライヤ４６ａ、４６ｂの出力がそれぞれ接続されており、システム制御部４７の出力は、ガルバノメトリックミラー２２を制御するガルバノメトリックミラー制御回路４９、光路切換ミラー３４にそれぞれ接続されている。また、ガルバノメトリックミラー制御回路４９には、一次元ＣＣＤ４２の出力が血管位置検出回路５０を介して接続されており、システム制御部４７の出力は、測定結果表示手段５１、測定データ選択手段５２、光路切換入力手段５３、記憶手段５４に接続され、記憶手段５４の出力は演算部５５に接続され、演算部５５の出力はシステム制御部４７に接続されている。
【００２５】
図２は被検眼Ｅの瞳孔Ep上の各光束の配置を示し、Ｉは黄色の照明光により照明される領域でリングスリット５の像、Ｏは眼底観察光束で孔あきミラー１１の開口部の像、Ｖは測定／血管受光光束でガルバノメトリックミラー２２の上下反射面２２ｂ、２２ａの有効部の像、Da、Dbは２つの測定受光光束でそれぞれミラー対４５ａ、４５ｂの像である。また、P2、P2' は測定光の入射位置で光路切換ミラー３４を切換えることによって選択される測定光の位置を示し、鎖線で示す領域Ｍはガルバノメトリックミラー２２の下側反射面２２ａの像である。
【００２６】
測定に際して、観察用光源１から発した白色光は、コンデンサレンズ３を通り、バンドパスフィルタ付フィールドレンズ４により黄色の波長光のみが透過し、リングスリット５、遮光部材６、リレーレンズ７を通り、透過型液晶８を背後から照明する。更に、この光束はリレーレンズ９、遮光部材１０を通って孔あきミラー１１で反射され、黄色域の波長光のみがバンドパスミラー１２を透過し、対物レンズ２を通り、被検眼Ｅの瞳孔Ep上で眼底照明光光束像Ｉとして一旦結像した後に、眼底Eaをほぼ一様に照明する。
【００２７】
このとき、透過型液晶板８には固視標が表示されており、照明光によって被検眼Ｅの眼底Eaに投影され、視標像として被検眼Ｅに呈示される。なお、リングスリット５、遮光部材６、１０は被検眼Ｅの前眼部において眼底照明光と眼底観察光を分離するためのものであり、必要な遮光領域を形成するものであればその形状は問題とならない。
【００２８】
眼底Eaからの反射光は、瞳孔Ep上から眼底観察光光束Ｏとして取り出されて同じ光路を戻り、孔あきミラー１１の中心の開口部、フォーカシングレンズ１３、リレーレンズ１４を通り、スケール板１５に眼底像Eaとして結像した後に、光路切換ミラー１６に至る。ここで、光路切換ミラー１６が光路から退避しているときは、検者眼ｅにより接眼レンズ１７を介して眼底像Ea’が観察可能となり、一方で光路切換ミラー１６が光路に挿入されているときは、スケール板１５上に結像された眼底像Ea’はテレビリレーレンズ１８によりＣＣＤカメラ１９上に再結像され、液晶モニタ２０に映出される。
【００２９】
検者はこの眼底像Ea’を観察しながら接眼レンズ１７又は液晶モニタ２０により装置のアライメントを行う。このとき、目的に応じて適切な観察方式を採用することが好適であり、接眼レンズ１７による観察の場合は、一般的に液晶モニタ２０等よりも高解像度かつ高感度なので、眼底Eaの微細な変化を読み取って診断する場合に適している。一方、液晶モニタ２０による観察の場合は、視野を制限しないので検者の疲労を軽減することができ、更にＣＣＤカメラ１９の出力を外部のビデオテープレコーダやビデオブリンタ等に接続することにより、眼底Ea上の測定部位の変化を逐次に電子的に記録することが可能となるので、臨床上極めて有効である。
【００３０】
次に、レーザーダイオード３６を発した測定光はコリメータレンズ３５によりコリメートされ、光路切換ミラー３４が光路に挿入されている場合には、光路切換ミラー３４、固定ミラー３３でそれぞれ反射され、集光レンズ３０の下方を通過し、光路切換ミラー３４が光路から退避している場合には、直接集光レンズ３０の上方を通過して、共にダイクロイックミラー２９を透過する。
【００３１】
一方、トラッキング用光源３８から発したトラッキング光は、ビームエクスパンダ３７により縦横異なる倍率でビーム径が拡大され、ミラー３２で反射された後に、整形用マスク３１で所望の形状に整形され、ダイクロイックミラー２９で反射されて、集光レンズ３０により、マスク３１の開口部中心と共役な位置にスポット状に結像している測定光と重畳される。
【００３２】
重畳された測定光とトラッキング光は、レンズ２４を通り、ガルバノメトリックミラー２２の上側反射面２２ｂで一旦反射され、黒点板２７を通った後に凹面鏡２８で反射され、再び黒点板２７、光路長補正用半月板２６を通り、ガルバノメトリックミラー２２の方へ戻される。ここで、ガルバノメトリックミラー２２は被検眼Ｅの瞳孔Epと共役な位置に配置されているために、その像は被検眼Ｅの瞳孔Ep上において図２の破線Ｍで示された形状となっている。
【００３３】
そして、凹面鏡２８、黒点板２７、光路長補正用半月板２６は光路上に同心に配置されており、ガルバノメトリックミラー２２の上側反射面２２ｂと下側反射面２２ａとを−１倍で結像するリレー光学系の機能が与えられているので、光路切換ミラー３４の光路中への挿入、退避によりガルバノメトリックミラー２２の像Ｍの裏側の図２の位置P1、P1' で反射された光束は、それぞれガルバノメトリックミラー２２の切欠き部に位置するP2、P2' の位置へ戻されることになり、ガルバノメトリックミラー２２に反射されることなくイメージローテータ２１へ向かう。そして、イメージローテータ２１を経てバンドパスミラー１２により対物レンズ２の方向へ偏向された光束は、対物レンズ２を介して被検眼Ｅの眼底Eaに照射される。
【００３４】
このように、測定光とトラッキング光はガルバノメトリックミラー２２の上側反射面２２ｂ内で反射され、再び戻されるときには対物レンズ２の光軸から偏心した状態でガルバノメトリックミラー２２に入射するので、図２に示すように瞳孔Ep上でスポット像P2又はP2' として結像した後に眼底Eaを点状に照射する。
【００３５】
眼底Eaでの散乱反射光は再び対物レンズ２で集光され、バンドパスミラー１２に反射されてイメージローテータ２１を通り、ガルバノメトリックミラー２２の下側反射面２２ａに反射され、フォーカシングレンズ２３を通り、ダイクロイックミラー３９において測定光とトラッキング光が分離される。
【００３６】
トラッキング光はダイクロイックミラー３９を透過し、フィールドレンズ４０、結像レンズ４１により、一次元ＣＣＤ４２上に眼底観察光学系による眼底像Ea’よりも拡大された血管像として結像する。そして、一次元ＣＣＤ４２に撮像された血管像Ev’に基づいて、血管位置検出回路５０において血管像Ev’の移動量を表すデータが作成されて、ガルバノメトリックミラー制御回路４９に出力される。ガルバノメトリックミラー制御回路４９はこの移動量を補償するようにガルバノメトリックミラー２２を駆動する。
【００３７】
一方、測定光はダイクロイックミラー３９により反射され、レンズ４３、共焦点絞り４４の開口部を経て、ミラー対４５ａ、４５ｂで反射され、それぞれフォトマルチプライヤ４６ａ、４６ｂに受光される。フォトマルチプライヤ４６ａ、４６ｂの出力はそれぞれシステム制御部４７に出力され、この受光信号は従来例と同様に周波数解析されて眼底Eaの血流速度が求められる。
【００３８】
このとき、バンドパスミラー１２の分光特性のために、観察用光源１からの照明光は一次元ＣＣＤ４２には到達せず、更に撮像範囲が狭く設定されているために、有害なフレア光も混入し難くなっており、従って一次元ＣＣＤ４２にはトラッキング光による血管像Ev’だけが撮像されることになる。また、血中ヘモグロビンと色素上皮上メラニンとは、緑色の波長域においてその分光反射率が大きく異なるために、トラッキング光を緑色光にすることにより、血管像Ev’をコントラスト良く撮像することが可能となる。
【００３９】
また、測定光とトラッキング光による眼底Eaでの散乱反射光の一部はバンドパスミラー１２を透過し、孔あきミラー１１の背後の眼底観察光学系に導かれ、トラッキング光はスケール板１５上に棒状のインジケータとして結像し、測定光はこのインジケータの中心部にスポット像として結像する。これらの像は接眼レンズ１７又は液晶モニタ２０を介して眼底像Ea’、視標像と共に観察される。このとき、インジケータの中心には図示しないスポット像が重畳して観察されており、インジケータは入力手段４８の操作桿等の操作部材により、眼底Ea上を一次元に移動させることができる。
【００４０】
検者は先ず眼底像Ea’のピント合わせを行う。入力手段４８の図示しないフォーカスノブを調整すると、図示しない駆動手段により透過型液晶板８、フォーカシングレンズ１３、２３、フォーカスユニット２５が連動して光路に沿って移動する。眼底像Ea’のピントが合うと、透過型液晶板８、スケール板１５、一次元ＣＣＤ４２、共焦点絞り４４は同時に眼底Eaと共役になる。
【００４１】
ピント合わせが終了した後に、入力手段４８の図示しない操作桿によりイメージローテータ２１を操作してインジケータを回転し、測定対象とする血管Evの走行方向に対してインジケータが垂直になるようにする。
【００４２】
このとき、眼底観察光はイメージローテータ２１を通過していないので、インジケータのみが回転するように認識され、従って図２に示した瞳孔Ep上の各光学部材の像も原点を中心に同じ方向に同じ角度だけ回転し、測定受光光束Da、Dbの中心を結んだ直線とスポット像Ｐ、Ｐ’の中心を結んだ直線、即ちｘ軸は血管Evの走行方向に一致する。
【００４３】
この操作は従来例で述べた速度算出のための式(1) において、β＝０°としたことに相当し、このβ＝０°とすることにより、次の (a)〜(c) の利点が生ずる。
【００４４】
(a) 式(1) からβ＝９０°即ち cosβ＝０なった場合には、最大周波数シフトΔfmax1 とfmax2 だけからは最大血流速度Vmaxの絶対値を求めることができなくなるが、β＝０°となるように眼底像Ｅ’を回転することにより、測定不能位置を回避することができる。
【００４５】
(b) 角度βを測定する必要がなくなるために誤差要因が減り操作が簡略化される。
【００４６】
(c) 従来例で述べたように、血流速度は血管壁からの散乱反射光と血液中の散乱反射光との干渉信号から求めているので、測定中にｘ軸方向に眼底Eaが移動しても、血管Evをｘ軸方向にほぼ平行にしておけば測定結果は影響されない。
【００４７】
一方、ｘ軸と直交するｙ軸方向に眼底Eaが移動した場合には、測定用のレーザーダイオード３６からの光束が測定部位の血管Evから逸脱して測定値が不安定になるが、その場合はｙ軸方向についてのみ血管Evの移動量を検知すればよく、本実施例ではダイクロイックミラー３９の背後の血管検出系とガルバノメトリックミラー２２によりこの一方向のみのトラッキングを行っている。
【００４８】
このトラッキングを行って、全ての被検血管Evについて精度良くかつ迅速に血流速度を測定するためには、血管像Ev’の移動量を検知する一次元ＣＣＤ４２を測定対象となる血管Evに垂直に配置するとよく、更にβ＝０°とすることにより二次元センサを使用する必要がなくなるという利点も生ずる。
【００４９】
本実施例では、トラッキング光の長手方向に一次元ＣＣＤ４２の素子が配列されており、測定部位の角度合わせが終了している場合には、トラッキング光を示すインジケータの長手方向が測定血管Evの走行方向と直交しているので、血管検出系の一次元ＣＣＤ４２にはインジケータで指示された眼底像Ea’が拡大して撮像されている。
【００５０】
角度合わせが終了した後に、入力手段４８の操作桿を操作してトラッキング光に重畳しているスポット像を測定部位に合致させて測定部位を選択する。そして、測定部位を決定した後に再び入力手段４８を操作してトラッキングの開始を入力する。
【００５１】
入力手段４８からシステム制御部４７を介してトラッキング開始の指令がガルバノメトリックミラー制御回路４９に入力されると、血管位置検出回路５０において一次元ＣＣＤ４２の受光信号に基づいて、血管像Ev’の一次元基準位置からの移動量が算出される。そして、ガルバノメトリックミラー制御回路４９によりこの移動量に基づいてガルバノメトリックミラー２２が駆動され、一次元ＣＣＤ４２上の血管像Ev’の受像位置が一定になるように制御される。
【００５２】
検者はトラッキング開始を碓認した後に、入力手段４８の図示しない測定スイッチを押して測定を開始する。システム制御部４７により光路切換えミラー３４が光路に挿入され、先ず被検眼Ｅの瞳孔Ep上のスポット像P1、P2の位置から入射した光束がフォトマルチプライヤ４６ａ、４６ｂに受光され、この受光信号がシステム制御部４７に取り込まれ、最大周波数シフト｜Δfmax1 ｜、｜Δfmax2 ｜が求められる。ここで、測定結果表示手段５１には例えば計測時間に対する｜Δfmax1 ｜、｜Δfmax2 ｜の変化が示され、光束のけられ等が生じて測定が正しく行われなかった場合には、測定結果表示手段５１には｜Δfmax1 ｜、｜Δfmax2 ｜の波形の乱れとなって表示される。
【００５３】
検者は正しく測定されていると判断したら、測定データ選択手段５２により記憶手段５４に測定データを保存し、正しく測定されていない場合は、キャンセルしてアライメントや固視の状態や被検者の瞼の開き具合などを再調整して、確認を行ってから再度測定を行う。
【００５４】
最初のパスで測定が終了すると、光路切換入力手段５３により光路切換えミラー３４が光路から退避し、被検眼Ｅの瞳孔Ep上のスポット像P1’、P2’の位置から光束を入射させて測定を行う。瞳孔Ep上のスポット像P1’、P2’の位置は、図２に示したように他方のスポット像P1、P2の中心を通り、測定受光光束Da、Dbの中心を結んだ直線と平行な直線上に中心を持つように配置されている。
【００５５】
次に、最初のパスでの測定時と同様に、再びシステム制御部４７は２つのフォトマルチプライヤ４６ａ、４６ｂから信号を取り込み、それぞれの最大周波数シフト｜Δfmax1'| 、｜Δfmax2'| を算出し、測定結果表示手段５１に計測時間に対する｜Δfmax1'| 、｜Δfmax2'| の変化を表したグラフが表示される。
【００５６】
検者は正しく測定されていると判断すれば、測定データ選択手段５２によりデータを記憶手段５４に保存し、そうでなければデータをキャンセルして測定をし直す。
【００５７】
そして、両方のパスで正しく測定が行われると、演算部５５は記憶手段５４に記憶されている｜Δfmax1 ｜、｜Δfmax2 ｜と｜Δfmax1'| 、｜Δfmax2'| 等の測定結果から符号情報を検出し、その結果をシステム制御部４７に出力し、システム制御部４７で最大眼底血流速度Vmax、Vmax' が算出される。
【００５８】
入射光を上述のように選択することによって、演算部５５は最大周波数シフト｜Δfmax1 ｜と｜Δfmax2 ｜との符号が切換わる図５に示す角φi の領域と、最大周波数シフト｜Δfmax1'| と｜Δfmax2'| との符号が切換わる領域とを分離することができ、かつ符号が切換わらない領域においてはVmax≒Vmax' となる。
【００５９】
また、最大速度VmaxかVmax' の一方の符号が切換わる領域においては、（符号の切換えがない側）＞（符号の切換えがある側）という関係を作り出すことが可能となり、最大速度の大きい方を真の血流速度として最終的に表示する。
【００６０】
従来では、片方のパスの測定が正しく行われなかった場合には、両方のパス共に再測定を行わなければならなかったが、測定結果表示手段５１及び測定データ選択手段５２を設けることにより、正しく行われたパスの測定データが無駄にならずに済み、正しく測定されたパスを重複して測定しなくてよいので、測定部位を数多く測定することができる。
【００６１】
本実施例においては、測定結果表示手段５１に表示する情報として時間経過に対する最大周波数シフト量を挙げたが、測定の良否が分かる場合は、時間経過に対してフォトマルチプライヤ４６ａ、４６ｂからの受光信号を表示するようにしてもよいし、時間経過に対する最大血流速度の変化を表示するようにしてもよい。また、フォトマルチプライヤ４６ａ、４６ｂからの受光信号から最大血流速度を算出する過程の何らかの情報でもよい。
【００６２】
更に、光路切換えミラー３４が光路に挿入されているときのパスと、光路から退避しているときのパスの２つのパスで、測定結果の判断をそれぞれのパスの測定終了時に行うように構成したが、固視状態の良好な被検者の場合であれば、測定方式選択手段を設けて、片方のパスの測定が終了したら光路切換えミラー３４が自動的に動作するようにして、両方のパスの測定を連続的に行って、測定終了後に測定結果表示手段５１と測定データ選択手段５２によって測定の可否を判断するようにしてもよい。
【００６３】
なお、測定データ選択手段５２により測定が正しいと選択された場合に、自動的に光路が切り換わるように構成すれば、光路切換入力手段５３は不要である。
【００６４】
図３は第２の実施例の構成図を示し、第１の実施例では入射光を２方向から入射することにより、｜Δfmax1 ｜と｜Δfmax2 ｜、｜Δfmax1'| と｜Δfmax2'| で符号の変わる領域の判別を行ったが、本実施例では受光側の位置を変えることにより判別を行っている。
【００６５】
測定用のレーザーダイオード３６からの光束は、ガルバノメトリックミラー２２の像Ｍの裏側の図２中の位置P1で反射されて、ガルバノメトリックミラー２２の切欠き部に位置する位置P2へ戻されることになり、１方向からの入射になっている。また、ミラー対４５ａ、４５ｂとフォトマルチプライヤ４６ａ、４６ｂは一体的にユニット化されており、システム制御部４７により測定信号の受光光学系に対して垂直に移動可能とされている。
【００６６】
図４は被検眼Ｅの瞳孔Ep上の各光束の配置図を示し、Ｉは黄色の照明光により照明される領域でリングスリット５の像、Ｏは眼底観察光束で孔あきミラー１１の開口部の像、Ｖは測定／血管受光光束でガルバノメトリックミラー２２の上下反射面２２ａ、２２ｂの有効部の像、Da、Dbは２つの測定受光光束でそれぞれミラー対４５ａ、４５ｂの像である。P1は測定光の入射位置で、鎖線で示す領域Ｍはガルバノメトリックミラー２２の下側反射面２２ａの像である。Dcはフォトマルチプライヤ４６ａ、４６ｂが移動したときに選択される測定受光光束を示し、Da、Db、Dcは孔あきミラー１１の開口部に一直線上に並んで配置されている。
【００６７】
装置の操作手順は第１の実施例と同様であるが、１回目の測定が正しく行われると、検者は光路切換入力手段５３により図中の点線で示したようにユニット化されたミラー対４５ａ、４５ｂとフォトマルチプライヤ４６ａ、４６ｂを動かす。このように動作された状態で、ミラー６５ａによりフォトマルチプライヤ６６ａが光束Dbを受光し、ミラー６５ｂによりフォトマルチプライヤ６６ｂは光束Dcを受光するようになる。
【００６８】
そして、この状態で２回目の測定が開始され、正しく測定が行われると演算部５５は記憶手段５４に記憶されている｜Δfmax1 ｜、｜Δfmax2 ｜と｜Δfmax1'| 、｜Δfmax2'| 等のような測定結果から符号情報を検出し、その結果をシステム制御部４７に出力し、システム制御部４７で最大限底血流速度Vmax、Vmax' を算出する。
【００６９】
２回目の測定の際には光束Dcのみ測定するようにして、光束Dbの測定については１回目の測定結果を利用するように構成してもよく、この他にもフォトマルチプライヤを３個用意して、それぞれの光束Da、Db、Dcに対応するようにして測定光を受光することも可能である。
【００７０】
【発明の効果】
以上説明したように本発明に係る眼底検査装置は、眼底血流の絶対値を算出する場合に、２回の測定データ毎に検者が測定の良否を判断することができるので、片方のパスで測定が不良であった時でも、正しく測定されたパスの測定データが無駄になることがなく、正しい測定値を求めることができ、被検者への負担を軽減することができ測定時間を短縮することができる。
【図面の簡単な説明】
【図１】第１の実施例の構成図である。
【図２】瞳孔上の光束配置の説明図である。
【図３】第２の実施例の構成図である。
【図４】瞳孔上の光束配置の説明図である。
【図５】眼内光束の配置の説明図である。
【符号の説明】
１  観察用光源
８  透過型液晶板
１２  バンドパスミラー
１９  ＣＣＤカメラ
２０  液晶モニタ
２１  イメージローテータ
２２  ガルバノメトリックミラー
２５  フォーカスユニット
３６  レーザーダイオード
３７  ビームエクスパンダ
３８  トラッキング用光源
４２  一次元ＣＣＤ
４６ａ、４６ｂ  フォトマルチプライヤ
４７  システム制御部
４８  入力手段
４９  ガルバノメトリックミラー制御回路
５０  血管位置検出回路
５１  測定結果表示手段
５２  測定データ選択手段
５３  光路切換入力手段
５４  記憶手段
５５  演算部
【図１】
0003636553.tif 000002
【図２】
0003636553.tif 000003
【図３】
0003636553.tif 000004
【図４】
0003636553.tif 000005
【図５】
0003636553.tif 000006